(57)【要約】【課題】照明器具に取り付ける際に向きを間違えて取り付けることを抑制することができる照明用光源を提供する。【解決手段】照明器具６０に取り付けられる照明用光源としてのＬＥＤユニット１であって、前方に光を発する発光素子２１ａが設けられた実装基板２０と、実装基板２０の後方に配置される支持台４０と、支持台４０とで実装基板２０を前後方向に挟み込むように配置される筐体１０とを備え、支持台４０または筐体１０は、ＬＥＤユニット１を照明器具６０に固定するための固定部材７０が挿入される３以上の開口部である挿入孔５１、５２及び５３を形成し、当該３以上の開口部は、当該３以上の開口部のうちの２つの開口部間の距離を開口部間距離とした場合、少なくとも１つの開口部間距離が他の開口部間距離と異なるように配置されている。【選択図】図１１
2014175269.tif 000002
【特許請求の範囲】
【請求項１】
照明器具に取り付けられる照明用光源であって、
前方に光を発する発光素子が設けられた基板と、
前記基板の後方に配置される支持台と、
前記支持台とで前記基板を前後方向に挟み込むように配置される筐体とを備え、
前記支持台または前記筐体は、前記照明用光源を前記照明器具に固定するための固定部材が挿入される３以上の開口部を形成し、
前記３以上の開口部は、前記３以上の開口部のうちの２つの開口部間の距離を開口部間距離とした場合、少なくとも１つの開口部間距離が他の開口部間距離と異なるように配置されている
照明用光源。
【請求項２】
前記３以上の開口部は、それぞれの前記開口部と前記照明用光源の中心との距離を中心間距離とした場合、少なくとも１つの中心間距離が他の中心間距離と異なるように配置されている
請求項１に記載の照明用光源。
【請求項３】
前記３以上の開口部は、それぞれの前記開口部と前記照明用光源の中心とを結んだ線分同士のなす角が均等になるように配置されている
請求項１または２に記載の照明用光源。
【請求項４】
前記３以上の開口部は、前記支持台または前記筐体の外周に環状に形成されている
請求項１〜３のいずれか１項に記載の照明用光源。
【請求項５】
前記支持台または前記筐体には、３つの前記開口部が形成されており、
前記３つの開口部は、１つの開口部間距離が他の２つの開口部間距離と異なるように配置されている
請求項１〜４のいずれか１項に記載の照明用光源。
【請求項６】
請求項１〜５のいずれか１項に記載の照明用光源と、
当該照明用光源が取り付けられ、前記照明用光源に給電を行うための照明器具と
を備える照明装置。
【発明の詳細な説明】
【技術分野】
【０００１】
本発明は、光源としてＬＥＤ等の発光素子が用いられる照明用光源及び当該照明用光源を備える照明装置に関する。
【背景技術】
【０００２】
従来、光源として発光ダイオード（ＬＥＤ：Ｌｉｇｈｔ  Ｅｍｉｔｔｉｎｇ  Ｄｉｏｄｅ）が用いられた円盤状または扁平状の照明用光源であるＬＥＤランプが提案されている（例えば、特許文献１参照）。このようなＬＥＤランプにおいては、一般的に、発光素子が設けられた基板と、基板を支持する支持台と、筐体とを備えており、ＬＥＤランプの２箇所または３箇所において、照明器具に対してネジ止めすることで、ＬＥＤランプを照明器具に固定する。
【先行技術文献】
【特許文献】
【０００３】
【特許文献１】米国特許出願公開第２０１２／０２３６５３２号明細書
【発明の概要】
【発明が解決しようとする課題】
【０００４】
しかしながら、上記従来のＬＥＤランプでは、当該ＬＥＤランプを照明器具に固定する際に、ＬＥＤランプを取り付ける向きを間違えてしまう場合があるという問題がある。
【０００５】
つまり、上記従来のＬＥＤランプでは、一般的に取り付け箇所に目印がないため、照明器具に対してネジ止めする際に、ＬＥＤランプの向きを間違えて照明器具に取り付けてしまう場合がある。また、取り付け箇所に目印があったとしても、照明器具にＬＥＤランプを取り付ける際に、ＬＥＤランプの取り付ける向きを間違える可能性もある。そして、ＬＥＤランプの取り付ける向きを間違えた場合には、照明器具側からの電力を供給するための配線をＬＥＤランプに繋げるのが困難になるなどの不具合が生ずる。
【０００６】
本発明は、上記問題を解決するためになされたものであり、照明器具に取り付ける際に向きを間違えて取り付けることを抑制することができる照明用光源及び照明装置を提供することを目的とする。
【課題を解決するための手段】
【０００７】
上記目的を達成するために、本発明の一態様に係る照明用光源は、照明器具に取り付けられる照明用光源であって、前方に光を発する発光素子が設けられた基板と、前記基板の後方に配置される支持台と、前記支持台とで前記基板を前後方向に挟み込むように配置される筐体とを備え、前記支持台または前記筐体は、前記照明用光源を前記照明器具に固定するための固定部材が挿入される３以上の開口部を形成し、前記３以上の開口部は、前記３以上の開口部のうちの２つの開口部間の距離を開口部間距離とした場合、少なくとも１つの開口部間距離が他の開口部間距離と異なるように配置されていることを特徴とする。
【０００８】
また、前記３以上の開口部は、それぞれの前記開口部と前記照明用光源の中心との距離を中心間距離とした場合、少なくとも１つの中心間距離が他の中心間距離と異なるように配置されていることにしてもよい。
【０００９】
また、前記３以上の開口部は、それぞれの前記開口部と前記照明用光源の中心とを結んだ線分同士のなす角が均等になるように配置されていることにしてもよい。
【００１０】
また、前記３以上の開口部は、前記支持台または前記筐体の外周に環状に形成されていることにしてもよい。
【００１１】
また、前記支持台または前記筐体には、３つの前記開口部が形成されており、前記３つの開口部は、１つの開口部間距離が他の２つの開口部間距離と異なるように配置されていることにしてもよい。
【００１２】
また、上記目的を達成するために、本発明の一態様に係る照明装置は、上記の照明用光源と、当該照明用光源が取り付けられ、前記照明用光源に給電を行うための照明器具とを備えることを特徴とする。
【発明の効果】
【００１３】
本発明によれば、照明器具に取り付ける際に向きを間違えて取り付けることを抑制することができる照明用光源及び当該照明用光源を備えた照明装置を実現することができる。
【図面の簡単な説明】
【００１４】
【図１Ａ】本発明の実施の形態１に係るＬＥＤユニットを斜め前方から見た場合の外観を示す斜視図である。
【図１Ｂ】本発明の実施の形態１に係るＬＥＤユニットを斜め後方から見た場合の外観を示す斜視図である。
【図２】本発明の実施の形態１に係るＬＥＤユニットを前後方向に切断した場合の断面図である。
【図３】本発明の実施の形態１に係るＬＥＤユニットを分解した場合の各構成要素を示す分解斜視図である。
【図４】本発明の実施の形態１に係る筐体を前方から見た場合の平面図である。
【図５】本発明の実施の形態１に係る筐体を側方及び後方から見た場合の平面図である。
【図６】本発明の実施の形態１に係る支持台を前方から見た場合の平面図である。
【図７】本発明の実施の形態１に係る支持台を側方及び後方から見た場合の平面図である。
【図８】本発明の実施の形態１に係る筐体と支持台とを前方から見た場合の平面図である。
【図９】本発明の実施の形態１に係る筐体と支持台とを側方及び後方から見た場合の平面図である。
【図１０】本発明の実施の形態１に係るＬＥＤユニットを照明器具に取り付ける状態を示す斜視図である。
【図１１】本発明の実施の形態１に係る筐体において挿入孔の配置位置を示す平面図である。
【図１２】本発明の実施の形態１に係る支持台において挿入孔の配置位置を示す平面図である。
【図１３】本発明の実施の形態２に係る照明装置の構成を示す断面図である。
【発明を実施するための形態】
【００１５】
以下、本発明の実施の形態に係る照明用光源としてのＬＥＤユニット（ＬＥＤランプ）及び照明装置について、図面を参照して説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。また、各図において、寸法等は厳密には一致しない。
【００１６】
（実施の形態１）
まず、本発明の実施の形態１に係るＬＥＤユニット１の概略構成について、説明する。
【００１７】
図１Ａは、本発明の実施の形態１に係るＬＥＤユニット１を斜め前方から見た場合の外観を示す斜視図である。また、図１Ｂは、本発明の実施の形態１に係るＬＥＤユニット１を斜め後方から見た場合の外観を示す斜視図である。また、図２は、本発明の実施の形態１に係るＬＥＤユニット１を前後方向に切断した場合の断面図である。また、図３は、本発明の実施の形態１に係るＬＥＤユニット１を分解した場合の各構成要素を示す分解斜視図である。
【００１８】
ここで、図１Ａ、図２及び図３では、ＬＥＤユニット１から光を取り出す側（以下、光照射側という）が上側となるように、また、図１Ｂでは、光照射側が下側となるように図示されている。以下、光照射側を前側（前方）、光照射側と反対側を後側（後方）、前後方向に交差する方向を側方として、説明を行う。
【００１９】
これらの図に示すように、ＬＥＤユニット１は、全体形状が矩形で扁平状の照明用光源であり、照明器具（図示せず）に取り付けられて光を照射する。具体的には、ＬＥＤユニット１は、例えば外径が５０ｍｍ〜１００ｍｍ、高さが１０ｍｍ〜３０ｍｍのＬＥＤランプである。ここで、ＬＥＤユニット１は、筐体１０と、実装基板２０と、絶縁体３０と、支持台４０とを備えている。
【００２０】
筐体１０は、ＬＥＤユニット１の光照射側（前方）に配置された、前後方向の長さが短い扁平形状（平盤状）で矩形形状の筐体である。具体的には、筐体１０は、前部及び後部に開口部を有し、後部で支持台４０と接続されている。そして、筐体１０と支持台４０とで形成される空間には、実装基板２０と絶縁体３０とが配置されている。つまり、筐体１０は、支持台４０とで実装基板２０を前後方向に挟み込むように配置されている。筐体１０は、ＰＢＴ（ポリブチレンテレフタレート）などの絶縁性を有する合成樹脂からなる樹脂筐体で構成される。なお、筐体１０の構成の詳細な説明については、後述する。
【００２１】
実装基板２０は、筐体１０の内方に配置され、半導体発光素子等の発光素子２１ａが設けられた基板である。実装基板２０は、例えば、平板状で構成されており、発光素子２１ａが搭載される一方の面と支持台４０に対して熱的に接続可能な他の面とを有している。また、実装基板２０は、熱伝導性が高い材料で構成することが好ましく、例えば、アルミナからなるアルミナ基板により構成される。なお、実装基板２０としては、アルミナ基板以外に、窒化アルミニウム等のその他のセラミック基板、アルミ、銅等の金属基板、高熱伝導樹脂などからなる樹脂基板、あるいは、金属と樹脂との積層構造を有するようなメタルベース基板等を用いてもかまわない。
【００２２】
具体的には、実装基板２０には、前方に光を発する発光素子２１ａを有する発光部２１が設けられている。発光部２１は、実装基板２０に実装された単数または複数のＬＥＤチップ（図示せず）と、封止部材（図示せず）とを備えている。ＬＥＤチップは、実装基板２０の一方の面上にダイボンディング等によって実装される。
【００２３】
なお、ＬＥＤチップとしては、例えば、中心波長が４４０ｎｍ〜４７０ｎｍの青色光を発光する青色発光ＬＥＤチップが用いられる。また、封止部材は、ＬＥＤチップを封止してＬＥＤチップを保護するとともにＬＥＤチップからの光を波長変換するために、蛍光体を含む樹脂で構成された蛍光体含有樹脂である。封止部材としては、例えば、ＬＥＤチップが青色発光ＬＥＤである場合、白色光を得るために、ＹＡＧ（イットリウム・アルミニウム・ガーネット）系の黄色蛍光体粒子をシリコン樹脂に分散させた蛍光体含有樹脂を用いることができる。これにより、発光部２１（封止部材）からは、蛍光体粒子によって波長変換された黄色光と青色発光ＬＥＤチップからの青色光とによって白色光が放出される。
【００２４】
また、発光部２１の外径は、例えば５ｍｍ〜５０ｍｍであり、ＬＥＤユニット１が２０Ｗ型のＬＥＤランプの場合には、発光部２１の外径は、例えば２０ｍｍである。
【００２５】
なお、本実施の形態では、丸型の発光部２１を例示したが、本発明において、発光部の形状または構造は丸型のものに限定されない。例えば、角型の発光部を用いてもよい。また、複数のＬＥＤチップの並びは特に限定されず、例えば、ＬＥＤチップをライン状に封止したり、マトリックス状に封止したり、円形状に封止したりすることができる。
【００２６】
また、実装基板２０の端部の両隅には、コネクタ２２及び２３が配置されており、図１Ａに示すように、コネクタ２２及び２３には、照明器具と発光部２１とを電気的に接続するためのリード線の先端に配置されたリード線先端部２２ａ及び２３ａが挿入される。なお、同図では、リード線は省略して図示している。ここで、リード線先端部２２ａ及び２３ａは、給電用のピンであり、具体的には円柱状の金属製のピンである。つまり、リード線先端部２２ａ及び２３ａを介して、照明器具から電力を受電して、当該電力を実装基板２０上の配線を介して発光部２１に供給することで、発光部２１のＬＥＤチップを発光させる。
【００２７】
なお、コネクタ２２及び２３には、アース用のピンがさらに挿入されることにしてもよいし、例えば調光を行う場合には、調光用のピンが挿入されることにしてもよい。また、コネクタ２２及び２３の配置位置についても限定されず、どこに配置されていてもかまわない。また、リード線先端部２２ａ及び２３ａの形状は、円柱状に限らず、矩形の柱状、板状など、どのような形状であってもかまわない。また、リード線の先端にはリード線先端部２２ａ及び２３ａが配置されておらず、リード線がコネクタ２２及び２３に直接挿入されてもよい。
【００２８】
絶縁体３０は、実装基板２０と支持台４０とを絶縁するための絶縁性のシートであり、実装基板２０と支持台４０との間に挟まれるように配置されている。具体的には、絶縁体３０は、実装基板２０の前面の充電部と支持台４０との間の絶縁距離を確保するために、実装基板２０の周囲を覆うように環状に形成された部材である。支持台４０上に絶縁体３０が配置されて、絶縁体３０上に実装基板２０が配置されることで、実装基板２０と支持台４０とが絶縁される。なお、絶縁体３０は、例えばゴムまたは樹脂製のシートであり、具体的にはシリコン、ナイロン、ＰＥＴ（ポリエチレンテレフタレート）、アクリルなどから形成される。
【００２９】
支持台４０は、照明器具に接続される部材である。具体的には、支持台４０は、ネジ止めなどによって照明器具に取り付けられ固定される。また、支持台４０は、実装基板２０が取り付けられる台座であって、実装基板２０の光照射側とは反対側（後方）に配置されている。また、支持台４０は、ネジ止めなどによって照明器具に取り付けられるため金属製の部材であるのが好ましく、アルミニウムなどの熱伝導性が高い材料で構成することがさらに好ましい。つまり、支持台４０は、実装基板２０の熱を照明器具に伝熱することで、実装基板２０が発生した熱を放熱させる役割を担う。なお、支持台４０は、無機フィラーを含有した高熱伝道樹脂やセラミックスなどによって構成されていてもよい。支持台４０の構成の詳細な説明については、後述する。
【００３０】
なお、支持台４０の前面または後面には、実装基板２０からの熱を照明器具側に逃がすための伝熱性の熱伝導部材が配置されていてもよい。熱伝導部材としては、例えば、シリコンシートまたはアクリルシートなどのゴムまたは樹脂製のシートや、グリスなど液状の部材などが考えられる。
【００３１】
また、筐体１０の内方または前方に、発光部２１から照射される光を反射する反射鏡が接続されてもよい。ここで、反射鏡としては、ポリカーボネートなどで形成された絶縁性を有する白色の合成樹脂材料によって構成されたものが考えられる。また、筐体１０の前面に、透光性のカバーが配置されてもよい。ここで、透光性のカバーとしては、ポリカーボネートなどの光透過率の高い合成樹脂材料によって構成されたものが考えられる。
【００３２】
また、筐体１０の内方または外方に、発光素子２１ａを駆動する回路素子（電子部品）を有する駆動回路が設けられ、発光素子２１ａを発光、消光または調光させることにしてもよい。回路素子としては、例えば、各種コンデンサ、抵抗素子、整流回路素子、コイル素子、チョークコイル（チョークトランス）、ノイズフィルタ、ダイオードまたは集積回路素子等が考えられる。
【００３３】
次に、筐体１０の構成について、詳細に説明する。
【００３４】
図４は、本発明の実施の形態１に係る筐体１０を前方から見た場合の平面図である。また、図５は、本発明の実施の形態１に係る筐体１０を側方及び後方から見た場合の平面図である。
【００３５】
これらの図に示すように、筐体１０は、第一筐体側面部１１と、第二筐体側面部１２と、第三筐体側面部１３とを備えている。ここで、第一筐体側面部１１は、平面状の側面を有する部位であり、第二筐体側面部１２は、第一筐体側面部１１と対向する位置に配置され平面状の側面を有する部位である。また、第三筐体側面部１３は、第一筐体側面部１１と第二筐体側面部１２とを繋ぐ、平面状の側面を有する部位である。
【００３６】
具体的には、第一筐体側面部１１は、第一筐体平面部１１ａ及び１１ｂと、第一筐体凹部１１ｃとを有している。ここで、第一筐体平面部１１ａ及び１１ｂは、平面状の側面である。また、第一筐体凹部１１ｃは、第一筐体平面部１１ａと第一筐体平面部１１ｂとの間に配置された凹形状の側面であり、円弧形状に凹んだ形状を有している。つまり、第一筐体側面部１１は、平面状の側面を円弧形状に切り欠いたような形状を有している。
【００３７】
また、第一筐体側面部１１には、第一筐体平面部１１ｂに隣接して、円形状の切欠きである筐体開口部１１ｄが形成されており、第一筐体側面部１１は、筐体開口部１１ｄを形成する筐体係合部１１ｅを有している。ここで、筐体開口部１１ｄは、ＬＥＤユニット１を照明器具に固定するための後述の固定部材が挿入される開口部であり、筐体係合部１１ｅは、当該固定部材と係合可能に形成されている。筐体係合部１１ｅの構成の詳細な説明については、後述する。
【００３８】
第二筐体側面部１２は、第二筐体平面部１２ａ及び１２ｂと、第二筐体凹部１２ｃとを有している。ここで、第二筐体平面部１２ａ及び１２ｂは、平面状の側面であって、第一筐体平面部１１ａ及び１１ｂと対向する位置に配置されている。また、第二筐体凹部１２ｃは、第二筐体平面部１２ａと第二筐体平面部１２ｂとの間であって第一筐体凹部１１ｃと対向する位置に配置された凹形状の側面であり、円弧形状に凹んだ形状を有している。つまり、第二筐体側面部１２は、第一筐体側面部１１と同様に、平面状の側面を円弧形状に切り欠いたような形状を有している。
【００３９】
また、第二筐体側面部１２には、第二筐体平面部１２ｂに隣接して、円形状の切欠きである筐体開口部１２ｄが形成されており、第二筐体側面部１２は、筐体開口部１２ｄを形成する筐体係合部１２ｅを有している。ここで、筐体開口部１２ｄは、筐体開口部１１ｄと同様に、ＬＥＤユニット１を照明器具に固定するための固定部材が挿入される開口部であり、筐体係合部１２ｅは、当該固定部材と係合可能に形成されている。筐体係合部１２ｅの構成の詳細な説明については、後述する。
【００４０】
第三筐体側面部１３は、第三筐体平面部１３ａ及び１３ｂと、筐体曲面部１３ｃ及び１３ｄとを有している。ここで、第三筐体平面部１３ａ及び１３ｂは、平面状の側面であって、筐体曲面部１３ｃ及び１３ｄは、第三筐体平面部１３ａ及び１３ｂを挟むように配置された曲面状の側面である。つまり、筐体曲面部１３ｃは、第二筐体平面部１２ａと第三筐体平面部１３ａとの間に配置され、第二筐体平面部１２ａと第三筐体平面部１３ａとを繋ぐ断面が円弧形状の曲面である。また、筐体曲面部１３ｄは、第一筐体平面部１１ａと第三筐体平面部１３ｂとの間に配置され、第一筐体平面部１１ａと第三筐体平面部１３ｂとを繋ぐ断面が円弧形状の曲面である。
【００４１】
また、第三筐体側面部１３には、第三筐体平面部１３ａと第三筐体平面部１３ｂとの間を円形状に切り欠いた形状を有する筐体開口部１３ｅが形成されており、第三筐体側面部１３は、筐体開口部１３ｅを形成する筐体係合部１３ｆを有している。ここで、筐体開口部１３ｅは、筐体開口部１１ｄ及び１２ｄと同様に、ＬＥＤユニット１を照明器具に固定するための固定部材が挿入される開口部であり、筐体係合部１３ｆは、当該固定部材と係合可能に形成されている。筐体係合部１３ｆの構成の詳細な説明については、後述する。
【００４２】
以上のように、筐体１０には、３つの筐体開口部１１ｄ、１２ｄ及び１３ｅが外周に環状に形成されており、この３つの筐体開口部１１ｄ、１２ｄ及び１３ｅのそれぞれに対応して、筐体係合部１１ｅ、１２ｅ及び１３ｆが配置されている。ここで、筐体係合部１１ｅ、１２ｅ及び１３ｆは、筐体１０の中心から遠い位置に配置されている。
【００４３】
また、図５に示すように、筐体１０は、支持台４０と接続するための突出状の筐体突出部１４、１５、１６及び１７を備えている。筐体突出部１４、１５、１６及び１７は、筐体１０の内方に向けて突出した板状の突起であり、筐体突出部１４と筐体突出部１５とが対向して配置され、筐体突出部１６と筐体突出部１７とが対向して配置されている。つまり、一対の筐体突出部１４及び１５と、一対の筐体突出部１６及び１７とが支持台４０と接続されて、筐体１０が支持台４０に固定される。
【００４４】
なお、筐体１０の形状は、上記には限定されず、第一筐体側面部１１または第二筐体側面部１２は、第一筐体凹部１１ｃまたは第二筐体凹部１２ｃが形成されない平面状の部位であってもよいし、第一筐体側面部１１、第二筐体側面部１２または第三筐体側面部１３は曲面状の部位であってもよい。つまり、筐体１０は、前方から見て、多角形状、円形状などどのような形状であってもよい。
【００４５】
次に、支持台４０の構成について、詳細に説明する。
【００４６】
図６は、本発明の実施の形態１に係る支持台４０を前方から見た場合の平面図である。また、図７は、本発明の実施の形態１に係る支持台４０を側方及び後方から見た場合の平面図である。
【００４７】
これらの図に示すように、支持台４０は、第一支持台側面部４１と、第二支持台側面部４２と、第三支持台側面部４３とを備えている。ここで、第一支持台側面部４１は、平面状の側面を有する部位であり、第二支持台側面部４２は、第一支持台側面部４１と対向する位置に配置され平面状の側面を有する部位である。また、第三支持台側面部４３は、第一支持台側面部４１と第二支持台側面部４２とを繋ぐ、平面状の側面を有する部位である。
【００４８】
具体的には、第一支持台側面部４１は、第一支持台平面部４１ａ及び４１ｂと、第一支持台凹部４１ｃとを有している。ここで、第一支持台平面部４１ａ及び４１ｂは、平面状の側面である。また、第一支持台凹部４１ｃは、第一支持台平面部４１ａと第一支持台平面部４１ｂとの間の、第一筐体凹部１１ｃと対応する位置に配置された凹形状の側面であり、矩形状に凹んだ形状を有している。つまり、第一支持台側面部４１は、平面状の側面を矩形状に切り欠いたような形状を有している。
【００４９】
また、第一支持台側面部４１には、第一支持台平面部４１ｂに隣接して、半円形状の切欠きである支持台開口部４１ｄが形成されており、第一支持台側面部４１は、支持台開口部４１ｄを形成する支持台固定部４１ｅを有している。つまり、支持台固定部４１ｅは、支持台４０の外周を半円形状に切り欠くようにして形成されている。ここで、支持台開口部４１ｄは、ＬＥＤユニット１を照明器具に固定するための固定部材が挿入される開口部であり、支持台固定部４１ｅは、当該固定部材によって照明器具に固定されることで支持台４０を照明器具に固定する部位である。支持台固定部４１ｅの構成の詳細な説明については、後述する。
【００５０】
第二支持台側面部４２は、第二支持台平面部４２ａ及び４２ｂと、第二支持台凹部４２ｃとを有している。ここで、第二支持台平面部４２ａ及び４２ｂは、平面状の側面であって、第一支持台平面部４１ａ及び４１ｂと対向する位置に配置されている。また、第二支持台凹部４２ｃは、第二支持台平面部４２ａと第二支持台平面部４２ｂとの間に配置された凹形状の側面であり、矩形状に凹んだ形状を有している。また、第二支持台凹部４２ｃは、第二筐体凹部１２ｃと対応する位置であって、第一支持台凹部４１ｃと対向する位置に配置されている。つまり、第一支持台凹部４１ｃと第二支持台凹部４２ｃとは、対向する一対の矩形状の切欠きであり、第二支持台側面部４２は、第一支持台側面部４１と同様に、平面状の側面を矩形状に切り欠いたような形状を有している。
【００５１】
また、第二支持台側面部４２には、第二支持台平面部４２ｂに隣接して、半円形状の切欠きである支持台開口部４２ｄが形成されており、第二支持台側面部４２は、支持台開口部４２ｄを形成する支持台固定部４２ｅを有している。つまり、支持台固定部４２ｅは、支持台４０の外周を半円形状に切り欠くようにして形成されている。ここで、支持台開口部４２ｄは、支持台開口部４１ｄと同様に、ＬＥＤユニット１を照明器具に固定するための固定部材が挿入される開口部であり、支持台固定部４２ｅは、当該固定部材によって照明器具に固定されることで支持台４０を照明器具に固定する部位である。支持台固定部４２ｅの構成の詳細な説明については、後述する。
【００５２】
第三支持台側面部４３は、第三支持台平面部４３ａ及び４３ｂと、支持台曲面部４３ｃ及び４３ｄとを有している。ここで、第三支持台平面部４３ａ及び４３ｂは、平面状の側面であって、支持台曲面部４３ｃ及び４３ｄは、第三支持台平面部４３ａ及び４３ｂを挟むように配置された曲面状の側面である。つまり、支持台曲面部４３ｃは、第二支持台平面部４２ａと第三支持台平面部４３ａとの間に配置され、第二支持台平面部４２ａと第三支持台平面部４３ａとを繋ぐ断面が円弧形状の曲面である。また、支持台曲面部４３ｄは、第一支持台平面部４１ａと第三支持台平面部４３ｂとの間に配置され、第一支持台平面部４１ａと第三支持台平面部４３ｂとを繋ぐ断面が円弧形状の曲面である。
【００５３】
また、第三支持台側面部４３には、第三支持台平面部４３ａと第三支持台平面部４３ｂとの間を略半円形状に切り欠いた形状を有する支持台開口部４３ｅが形成されており、第三支持台側面部４３は、支持台開口部４３ｅを形成する支持台固定部４３ｆを有している。つまり、支持台固定部４３ｆは、支持台４０の外周を半円形状に切り欠くようにして形成されている。ここで、支持台開口部４３ｅは、支持台開口部４１ｄ及び４２ｄと同様に、ＬＥＤユニット１を照明器具に固定するための固定部材が挿入される開口部であり、支持台固定部４３ｆは、当該固定部材によって照明器具に固定されることで支持台４０を照明器具に固定する部位である。支持台固定部４３ｆの構成の詳細な説明については、後述する。
【００５４】
以上のように、支持台４０には、３つの支持台開口部４１ｄ、４２ｄ及び４３ｅが外周に環状に形成されており、この３つの支持台開口部４１ｄ、４２ｄ及び４３ｅのそれぞれに対応して、支持台固定部４１ｅ、４２ｅ及び４３ｆが配置されている。
【００５５】
また、図７に示すように、支持台４０は、筐体１０と接続するための支持台溝部４４、４５、４６及び４７を備えている。支持台溝部４４、４５、４６及び４７は、支持台４０の周囲に形成された溝であり、一対の支持台溝部４４及び４５が一対の筐体突出部１４及び１５と嵌合可能に配置され、一対の支持台溝部４６及び４７が一対の筐体突出部１６及び１７と嵌合可能に配置されている。つまり、一対の支持台溝部４４及び４５と一対の筐体突出部１４及び１５とが接続され、一対の支持台溝部４６及び４７と一対の筐体突出部１６及び１７とが接続されて、筐体１０と支持台４０とが固定される。
【００５６】
なお、支持台４０の形状は、上記には限定されず、第一支持台側面部４１または第二支持台側面部４２は、第一支持台凹部４１ｃまたは第二支持台凹部４２ｃが形成されない平面状の部位であってもよいし、第一支持台側面部４１、第二支持台側面部４２または第三支持台側面部４３は曲面状の部位であってもよい。つまり、支持台４０は、前方から見て、多角形状、円形状などどのような形状であってもよい。
【００５７】
次に、筐体１０が支持台４０に固定された状態での筐体１０と支持台４０との位置関係について、詳細に説明する。
【００５８】
図８は、本発明の実施の形態１に係る筐体１０と支持台４０とを前方から見た場合の平面図である。また、図９は、本発明の実施の形態１に係る筐体１０と支持台４０とを側方及び後方から見た場合の平面図である。また、図１０は、本発明の実施の形態１に係るＬＥＤユニット１を照明器具６０に取り付ける状態を示す斜視図である。
【００５９】
なお、説明の便宜のため、図８及び図９においては、ＬＥＤユニット１のうち実装基板２０と絶縁体３０とを省略して、筐体１０と支持台４０のみを図示し、また、図１０では、照明器具６０を簡略化して図示している。
【００６０】
まず、図８及び図９に示すように、筐体１０が支持台４０に固定された状態では、筐体係合部１１ｅ、１２ｅ及び１３ｆと支持台固定部４１ｅ、４２ｅ及び４３ｆとは、それぞれ、挿入孔５１、５２及び５３を形成するように対向して配置されている。なお、これらの図においては、支持台溝部４４、４５、４６及び４７と筐体突出部１４、１５、１６及び１７とがそれぞれ嵌合することで、筐体１０が支持台４０に固定されている。
【００６１】
ここで、挿入孔５１、５２及び５３は、図１０に示すように、固定部材７０を挿入するための開口部である。つまり、照明器具６０には固定部材７０を挿入して固定するための取り付け孔６０ａが形成されており、固定部材７０が挿入孔５１、５２及び５３に挿入されて、取り付け孔６０ａで固定されることで、ＬＥＤユニット１が照明器具６０に取り付けられる。なお、固定部材７０は、例えば、ＬＥＤユニット１を照明器具６０にネジ止めによって固定するためのネジである。
【００６２】
具体的には、筐体係合部１１ｅと支持台固定部４１ｅとは、固定部材７０を挿入するための挿入孔５１を形成するように対向して配置されている。つまり、筐体係合部１１ｅによって形成された筐体開口部１１ｄと、支持台固定部４１ｅによって形成された支持台開口部４１ｄとで、挿入孔５１を形成している。
【００６３】
また、筐体係合部１２ｅと支持台固定部４２ｅとは、固定部材７０を挿入するための挿入孔５２を形成するように対向して配置されている。つまり、筐体係合部１２ｅによって形成された筐体開口部１２ｄと、支持台固定部４２ｅによって形成された支持台開口部４２ｄとで、挿入孔５２を形成している。
【００６４】
また、筐体係合部１３ｆと支持台固定部４３ｆとは、固定部材７０を挿入するための挿入孔５３を形成するように対向して配置されている。つまり、筐体係合部１３ｆによって形成された筐体開口部１３ｅと、支持台固定部４３ｆによって形成された支持台開口部４３ｅとで、挿入孔５３を形成している。
【００６５】
このように、筐体１０と支持台４０とが組み合わさった状態において、筐体１０と支持台４０とは、ＬＥＤユニット１を照明器具６０に固定するための固定部材７０が挿入される３つの開口部である挿入孔５１、５２及び５３を形成している。
【００６６】
次に、３つの開口部である挿入孔５１、５２及び５３の配置位置について、詳細に説明する。
【００６７】
図１１は、本発明の実施の形態１に係る筐体１０において挿入孔５１、５２及び５３の配置位置を示す平面図である。また、図１２は、本発明の実施の形態１に係る支持台４０において挿入孔５１、５２及び５３の配置位置を示す平面図である。
【００６８】
これらの図に示すように、３つの開口部である挿入孔５１、５２及び５３は、当該３つの開口部のうちの２つの開口部間の距離を開口部間距離とした場合、少なくとも１つの開口部間距離が他の開口部間距離と異なるように配置されている。つまり、３つの挿入孔５１、５２及び５３は、１つの開口部間距離が他の２つの開口部間距離と異なるように配置されている。
【００６９】
具体的には、３つの挿入孔５１、５２及び５３は、挿入孔５１と挿入孔５２との間の距離である開口部間距離Ａが、挿入孔５２と挿入孔５３との間の距離である開口部間距離Ｂと、挿入孔５１と挿入孔５３との間の距離である開口部間距離Ｃと異なるように配置されている。本実施の形態では、挿入孔５１、５２及び５３は、開口部間距離Ａが、開口部間距離Ｂ及び開口部間距離Ｃよりも大きくなるように配置されている。
【００７０】
また、３つの開口部である挿入孔５１、５２及び５３は、それぞれの開口部とＬＥＤユニット１の中心との距離を中心間距離とした場合、少なくとも１つの中心間距離が他の中心間距離と異なるように配置されている。ここで、ＬＥＤユニット１の中心とは、ＬＥＤユニット１の真ん中に位置する点をいい、具体的には、ＬＥＤユニット１を前方から見た場合にＬＥＤユニット１の平面視形状における重心位置と一致する。なお、ＬＥＤユニット１は扁平状であるため、上記の３つの開口部を含む平面内における当該重心位置に対応する点を、ＬＥＤユニット１の中心と定義してもよい。また、ＬＥＤユニット１を前方から見た場合に発光部２１がＬＥＤユニット１の中央部分に配置される場合（発光部２１の中心と当該重心位置とが一致する場合）には、発光部２１の中心をＬＥＤユニット１の中心と定義してもよい。
【００７１】
具体的には、３つの挿入孔５１、５２及び５３は、挿入孔５３とＬＥＤユニット１の中心Ｏとの間の距離である中心間距離Ｄが、挿入孔５２と当該中心Ｏとの間の距離である中心間距離Ｅと、挿入孔５１と当該中心Ｏとの間の距離である中心間距離Ｆと異なるように配置されている。本実施の形態では、挿入孔５１、５２及び５３は、中心間距離Ｄが、中心間距離Ｅ及び中心間距離Ｆよりも小さくなるように配置されている。
【００７２】
また、３つの開口部である挿入孔５１、５２及び５３は、それぞれの開口部とＬＥＤユニット１の中心とを結んだ線分同士のなす角が均等になるように配置されている。具体的には、３つの挿入孔５１、５２及び５３は、角ａと角ｂと角ｃとが等しくなるように配置されている。ここで、角ａは、挿入孔５１とＬＥＤユニット１の中心Ｏとを結んだ線分と、挿入孔５２と当該中心Ｏとを結んだ線分とのなす角である。また、角ｂは、挿入孔５２と当該中心Ｏとを結んだ線分と、挿入孔５３と当該中心Ｏとを結んだ線分とのなす角である。また、角ｃは、挿入孔５１と当該中心Ｏとを結んだ線分と、挿入孔５３と当該中心Ｏとを結んだ線分とのなす角である。
【００７３】
また、３つの開口部である挿入孔５１、５２及び５３は、筐体１０の外周に環状に形成され、また、支持台４０の外周に環状に形成されている。つまり、筐体１０と支持台４０とが組み合わさった状態で、挿入孔５１、５２及び５３を、ＬＥＤユニット１の外周に環状に形成している。
【００７４】
以上のように、本発明の実施の形態１に係る照明用光源であるＬＥＤユニット１によれば、筐体１０及び支持台４０は、ＬＥＤユニット１を照明器具６０に固定するための固定部材７０が挿入される３つの開口部である挿入孔５１、５２及び５３を形成している。そして、当該３つの挿入孔５１、５２及び５３は、開口部間距離Ａが他の開口部間距離Ｂ及びＣと異なるように配置されている。このように、固定部材７０が挿入される３つの挿入孔５１、５２及び５３の少なくとも１つの開口部間距離が他の開口部間距離と異なっているため、ＬＥＤユニット１を照明器具６０に取り付ける際に、間違えた向きで取り付けようとしても、照明器具６０側の取り付け孔６０ａとＬＥＤユニット１側の挿入孔５１、５２及び５３との位置が合わず、取り付けることができない。
【００７５】
また、当該３つの開口部である挿入孔５１、５２及び５３は、中心間距離Ｄが他の中心間距離Ｅ及びＦと異なるように配置されている。つまり、固定部材７０が挿入される３つの挿入孔５１、５２及び５３の少なくとも１つの中心間距離が他の中心間距離と異なっている。このため、これによっても、ＬＥＤユニット１を照明器具６０に取り付ける際に、間違えた向きで取り付けようとしても、照明器具６０側の取り付け孔６０ａとＬＥＤユニット１側の挿入孔５１、５２及び５３との位置が合わず、取り付けることができない。
【００７６】
以上のように、ＬＥＤユニット１を照明器具６０に取り付ける際に、ＬＥＤユニット１の向きを間違えて取り付けることを抑制することができる。
【００７７】
また、当該３つの開口部である挿入孔５１、５２及び５３は、それぞれの挿入孔とＬＥＤユニット１の中心とを結んだ線分同士のなす角が均等になるように配置されている。このため、ＬＥＤユニット１を照明器具６０にバランス良く固定することができる。
【００７８】
また、当該３つの開口部である挿入孔５１、５２及び５３は、支持台４０または筐体１０の外周に環状に形成されている。このため、支持台４０または筐体１０の外周を切り欠くようにして挿入孔５１、５２及び５３を形成することができるため、挿入孔５１、５２及び５３を容易に形成できる。また、挿入孔５１、５２及び５３を形成することによる支持台４０の面積の減少を抑制し、支持台４０から照明器具６０への放熱性を確保することができる。
【００７９】
（実施の形態２）
次に、本発明の実施の形態２に係る照明装置１００について、説明する。
【００８０】
図１３は、本発明の実施の形態２に係る照明装置１００の構成を示す断面図である。なお、本実施の形態に係る照明装置１００では、上記実施の形態１に係るＬＥＤユニット１を用いている。したがって、同図において、上記実施の形態１で示した構成要素と同じ構成要素には同じ符号を付している。
【００８１】
同図に示すように、照明装置１００は、例えば天井の壁２００に取り付けられたダウンライトであり、照明器具６０と、上記実施の形態１に係るＬＥＤユニット１とを備えている。照明器具６０は、ＬＥＤユニット１が取り付けられ、ＬＥＤユニット１に給電を行うための器具であり、ＬＥＤユニット１を覆うように構成された器具本体６１と、ＬＥＤユニット１に電力を供給する電源回路６２とを備えている。また、器具本体６１は、放熱部６１ａと反射部６１ｂとを有しており、電源回路６２は、リード線６２ａを有している。
【００８２】
放熱部６１ａは、ＬＥＤユニット１から伝達される熱を放熱する部位である。放熱部６１ａは、内部に電源回路６２を収容し、また、前面部（下面部）には、ＬＥＤユニット１が固定されている。つまり、図１０に示したように、放熱部６１ａの下面部に、ＬＥＤユニット１が固定部材７０によって固定される。なお、ＬＥＤユニット１は、放熱部６１ａに対して着脱可能に取り付けられている。
【００８３】
ここで、放熱部６１ａの形状は、放熱に適した形状であれば特に限定されないが、例えば外周に放射状にフィンが形成されたような形状が考えられる。また、放熱部６１ａは、アルミニウムなどの熱伝導性が高い材料で構成することが好ましい。
【００８４】
反射部６１ｂは、前部（下部）に円形の開口が形成された略カップ形状であって、ＬＥＤユニット１の側方を囲うように構成されている。具体的には、反射部６１ｂは、放熱部６１ａの下面部の周縁から下方に向かって内径が漸次拡大するように形成された円筒形状の部位である。
【００８５】
つまり、反射部６１ｂは、光照射側に開口を有し、ＬＥＤユニット１からの光を反射するように構成されている。例えば、反射部６１ｂは、絶縁性を有する白色の合成樹脂によって構成されている。なお、反射率を向上させるために、反射部６１ｂの内面に反射膜をコーティングしてもかまわない。なお、反射部６１ｂは、合成樹脂製のものに限定されず、金属板をプレス加工して形成されたような金属製の反射板を用いてもよい。
【００８６】
電源回路６２は、ＬＥＤユニット１に対して直流電力を供給するための部材である。つまり、電源回路６２には、交流電力を直流電力に変換するための回路素子（電子部品）などが配置されており、電源回路６２は、交流電力を受電して、直流電力に変換し、リード線６２ａを介して、当該直流電力をＬＥＤユニット１に供給する。なお、ＬＥＤユニット１の調光を行うための電子部品等が電源回路６２に配置されており、照明器具６０がＬＥＤユニット１を調光可能な構成等として実現されていてもかまわない。
【００８７】
以上のように、本発明の実施の形態２に係る照明装置１００によれば、上記実施の形態１に係るＬＥＤユニット１を備えているため、上記実施の形態１と同様の効果を奏する。なお、本実施の形態において、上記実施の形態１と同様の変形を施してもかまわない。
【００８８】
以上、本発明の実施の形態に係る照明用光源としてのＬＥＤユニット１及び照明装置１００について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００８９】
また、上記実施の形態を任意に組み合わせて構築される形態も、本発明の範囲内に含まれる。また、上記実施の形態の部分的な構成を、適宜組み合わせてなる構成であってもよい。
【００９０】
例えば、上記の実施の形態では、筐体１０と支持台４０とが組み合わさって挿入孔５１、５２及び５３を形成することとしたが、この構成には限定されない。つまり、筐体１０に挿入孔５１、５２及び５３が形成されており、筐体１０単独で挿入孔５１、５２及び５３を形成している構成でもよいし、支持台４０に挿入孔５１、５２及び５３が形成されており、支持台４０単独で挿入孔５１、５２及び５３を形成している構成でもよい。
【００９１】
また、上記の実施の形態では、ＬＥＤユニット１には、３つの挿入孔５１、５２及び５３が形成されていることとしたが、挿入孔の個数は、３以上であればよい。つまり、支持台４０または筐体１０は、ＬＥＤユニット１を照明器具６０に固定するための固定部材７０が挿入される３以上の開口部である挿入孔を形成し、当該３以上の開口部は、少なくとも１つの開口部間距離が他の開口部間距離と異なるように配置されている構成であればよい。また、当該３以上の開口部は、少なくとも１つの中心間距離が他の中心間距離と異なるように配置されていてもよく、また、当該３以上の開口部は、それぞれの開口部とＬＥＤユニット１の中心とを結んだ線分同士のなす角が均等になるように配置されていてもよい。また、当該３以上の開口部は、支持台４０または筐体１０の外周に環状に形成されていることにしてもよい。
【００９２】
また、上記の実施の形態では、固定部材７０はネジであり、ネジ止めによってＬＥＤユニット１が照明器具６０に固定されることとしたが、図１０に示すような構成で固定できるのであれば、固定部材７０はネジには限定されず固定部材７０による固定方法はネジ止めでなくともよい。
【００９３】
また、上記の実施の形態では、３つの開口部である挿入孔５１、５２及び５３は、少なくとも１つの中心間距離が他の中心間距離と異なるように配置されていることとしたが、挿入孔５１、５２及び５３は、全ての中心間距離が同一になるように配置されていてもよい。この場合でも、少なくとも１つの開口部間距離が他の開口部間距離と異なるように構成することで、ＬＥＤユニット１を照明器具６０に取り付ける際に、ＬＥＤユニット１の向きを間違えて取り付けることを抑制することができる。
【００９４】
また、３つの開口部である挿入孔５１、５２及び５３は、それぞれの開口部とＬＥＤユニット１の中心とを結んだ線分同士のなす角が均等になるように配置されていることとしたが、この構成に限定されず、当該なす角はどのような角度になっていてもかまわない。
【００９５】
また、上記の実施の形態では、挿入孔５１、５２及び５３は、支持台４０の外周を切り欠くようにして形成されていることとしたが、支持台４０の内側に貫通孔を形成して当該貫通孔の周囲に支持台固定部を配置することで挿入孔５１、５２及び５３を形成する構成でもかまわない。筐体係合部についても同様である。
【００９６】
また、上記の実施の形態において、発光部からの光を集光するためのレンズやリフレクタ等の光学部品、または、色調調節のための光学フィルタ等を用いてもよい。但し、これらの部品は、本発明の必須の構成ではない。
【００９７】
また、上記の実施の形態では、発光部２１は実装基板２０上にＬＥＤチップを直接実装したＣＯＢ型の構成としたが、これに限らない。例えば、樹脂成型されたキャビティの中にＬＥＤチップを実装して当該キャビティ内に蛍光体含有樹脂を封入したパッケージ型のＬＥＤ素子を用いて、このＬＥＤ素子を基板上に複数個実装することで構成された表面実装型（ＳＭＤ：Ｓｕｒｆａｃｅ  Ｍｏｕｎｔ  Ｄｅｖｉｃｅ）の発光部を用いてもかまわない。
【００９８】
また、上記の実施の形態では、発光部２１は、青色発光ＬＥＤと黄色蛍光体とによって白色光を放出するように構成したが、これに限らない。例えば、赤色蛍光体及び緑色蛍光体を含有する蛍光体含有樹脂を用いて、これと青色発光ＬＥＤと組み合わせることによりに白色光を放出するように構成してもかまわない。
【００９９】
また、発光部２１は、青色以外の色を発光するＬＥＤを用いてもかまわない。例えば、ＬＥＤとして紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１００】
また、上記の実施の形態では、発光素子２１ａとしてＬＥＤを例示したが、半導体レーザ等の半導体発光素子、有機ＥＬ（Ｅｌｅｃｔｒｏ  Ｌｕｍｉｎｅｓｃｅｎｃｅ）または無機ＥＬ等の発光素子を用いてもよい。
【符号の説明】
【０１０１】
１  ＬＥＤユニット（照明用光源）
１０  筐体
１１  第一筐体側面部
１１ａ、１１ｂ  第一筐体平面部
１１ｃ  第一筐体凹部
１１ｄ、１２ｄ、１３ｅ  筐体開口部
１１ｅ、１２ｅ、１３ｆ  筐体係合部
１２  第二筐体側面部
１２ａ、１２ｂ  第二筐体平面部
１２ｃ  第二筐体凹部
１３  第三筐体側面部
１３ａ、１３ｂ  第三筐体平面部
１３ｃ、１３ｄ  筐体曲面部
１４、１５、１６、１７  筐体突出部
２０  実装基板
２１  発光部
２１ａ  発光素子
２２、２３  コネクタ
２２ａ、２３ａ  リード線先端部
３０  絶縁体
４０  支持台
４１  第一支持台側面部
４１ａ、４１ｂ  第一支持台平面部
４１ｃ  第一支持台凹部
４１ｄ、４２ｄ、４３ｅ  支持台開口部
４１ｅ、４２ｅ、４３ｆ  支持台固定部
４２  第二支持台側面部
４２ａ、４２ｂ  第二支持台平面部
４２ｃ  第二支持台凹部
４３  第三支持台側面部
４３ａ、４３ｂ  第三支持台平面部
４３ｃ、４３ｄ  支持台曲面部
４４、４５、４６、４７  支持台溝部
５１、５２、５３  挿入孔（開口部）
６０  照明器具
６０ａ  取り付け孔
６１  器具本体
６１ａ  放熱部
６１ｂ  反射部
６２  電源回路
６２ａ  リード線
７０  固定部材
１００  照明装置
２００  壁
【図１Ａ】
2014175269.tif 000003
【図１Ｂ】
2014175269.tif 000004
【図２】
2014175269.tif 000005
【図３】
2014175269.tif 000006
【図４】
2014175269.tif 000007
【図５】
2014175269.tif 000008
【図６】
2014175269.tif 000009
【図７】
2014175269.tif 000010
【図８】
2014175269.tif 000011
【図９】
2014175269.tif 000012
【図１０】
2014175269.tif 000013
【図１１】
2014175269.tif 000014
【図１２】
2014175269.tif 000015
【図１３】
2014175269.tif 000016